(57)【要約】  ユーザ端末は、復調用参照信号を含む下りリンク信号を受信する受信部と、下りリンク信号から復調用参照信号を分離する信号分離部と、復調用参照信号を用いてチャネル推定値を算出するチャネル推定部と、を具備する。復調用参照信号は、複数の候補パターンから選択された送信パターンに規定されたリソース要素にマッピングされる。受信部は、送信パターンを示すインデックスを受信し、信号分離部は、インデックスに基づいて特定した送信パターンを用いて、復調用参照信号を分離する。
2018030359.tif 000002
【特許請求の範囲】
【請求項１】
復調用参照信号を含む下りリンク信号を受信する受信部と、
前記下りリンク信号から前記復調用参照信号を分離する信号分離部と、
前記復調用参照信号を用いてチャネル推定値を算出するチャネル推定部と、を具備し、
前記復調用参照信号は、複数の候補パターンから選択された送信パターンに規定されたリソース要素にマッピングされ、
前記受信部は、前記送信パターンを示すインデックスを受信し、
前記信号分離部は、前記インデックスに基づいて特定した前記送信パターンを用いて、前記復調用参照信号を分離する、
ユーザ端末。
【請求項２】
前記複数の候補パターンは、周波数方向における前記復調用参照信号の配置間隔、時間方向における前記復調用参照信号の配置間隔、レイヤの多重方法、および、オーバヘッドサイズの少なくとも１つが互いに異なる、
請求項１に記載のユーザ端末。
【請求項３】
前記受信部は、上位レイヤシグナリング、又は、物理レイヤシグナリングにより通知される前記インデックスを受信する、
請求項１に記載のユーザ端末。
【請求項４】
前記復調用参照信号は、前記復調用参照信号とは異なる信号がマッピングされるリソース要素にはマッピングされない、
請求項１に記載のユーザ端末。
【請求項５】
前記送信パターンに規定されたリソース要素の少なくとも一つに前記復調用参照信号とは異なる信号がマッピングされる場合、前記復調用参照信号は前記送信パターンに規定されたリソース要素の少なくとも一つと異なるリソース要素にマッピングされる、
請求項１に記載のユーザ端末。
【請求項６】
前記受信部は、前記ユーザ端末に適用されるアンテナポートの番号および前記復調用参照信号の多重方法を示すシグナリングを受信し、
前記信号分離部は、前記シグナリングが示す多重方法に対応する分離方法を用いて、前記シグナリングが示すアンテナポートの番号に対応する下りリンク信号から前記復調用参照信号を分離し、
前記アンテナポートの番号がユーザ端末間で同一の場合の多重方法は、前記アンテナポートの番号がユーザ端末間で異なる場合の多重方法と異なる、
請求項１に記載のユーザ端末。
【請求項７】
前記アンテナポートの番号がユーザ端末間で異なる場合の多重方法は、規定された系列長よりも長い系列長を有する系列を用いた符号分割多重を含む、
請求項６に記載のユーザ端末。
【請求項８】
複数の候補パターンから選択された送信パターンを示すインデックスを受信する受信部と、
前記インデックスが示す送信パターンに規定されたリソース要素に復調用参照信号をマッピングするマッピング部と、
前記復調用参照信号を含む上りリンク信号を送信する送信部と、
を具備する、
ユーザ端末。
【請求項９】
復調用参照信号を含む下りリンク信号を受信し、
前記下りリンク信号から前記復調用参照信号を分離し、
前記復調用参照信号を用いてチャネル推定値を算出する、
ユーザ端末における無線通信方法であって、
前記復調用参照信号は、複数の候補パターンから選択された送信パターンに規定されたリソース要素にマッピングされ、
前記送信パターンを示すインデックスを受信し、
前記インデックスに基づいて特定した前記送信パターンを用いて、前記復調用参照信号を分離する、
無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal Mobile Telecommunication System）ネットワークにおいて、更なる高速データレート、低遅延などを目的としてロングタームエボリューション（ＬＴＥ：Long Term Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future Radio Access）、５Ｇ（5th generation mobile communication system）、５Ｇ＋（5G plus）、Ｎｅｗ−ＲＡＴ（Radio Access Technology）などと呼ばれる）も検討されている。【０００３】
既存のＬＴＥシステム（例えば、ＬＴＥ  Ｒｅｌ．８−１３）では、無線基地局とユーザ端末間の下りリンク（ＤＬ）送信及び上りリンク（ＵＬ）送信に適用される伝送時間間隔（ＴＴＩ：Transmission Time Interval）は、１ｍｓに設定されて制御される。ＴＴＩは、チャネル符号化されたデータパケット（トランスポートブロック）が送信される時間単位であり、スケジューリング、リンクアダプテーション（Link Adaptation）などの処理単位となる。既存のＬＴＥシステムにおけるＴＴＩは、サブフレーム、サブフレーム長などとも呼ばれる。【０００４】
また、既存のＬＴＥシステムでは、通常サイクリックプリフィクス（ＣＰ）の場合、１ＴＴＩは１４シンボルを含んで構成される。通常ＣＰの場合、各シンボルは、６６．７μｓの時間長（シンボル長）を有し、サブキャリア間隔は、１５ｋＨｚである。また、通常ＣＰよりも長い拡張ＣＰの場合、１ＴＴＩは１２シンボルを含んで構成される。
【先行技術文献】
【非特許文献】
【０００５】
【非特許文献１】3GPP TS 36.300 v13.4.0, “Evolved Universal Terrestrial Radio Access (E-UTRA) and Evolved Universal Terrestrial Radio Access Network (E-UTRAN); Overall description; Stage 2 (Release 13),” June 2016
【発明の概要】
【発明が解決しようとする課題】
【０００６】
将来の無線通信システム（例えば、５Ｇ）では、超高速、大容量化、超低遅延などの要求を達成するために、広帯域の周波数帯を利用することが検討されている。このため、将来の無線通信システムでは、既存のＬＴＥシステムにおいて用いられる相対的に低い周波数帯（以下、低周波数帯という）よりも高い周波数帯（以下、高周波数帯という）（例えば、３０〜７０ＧＨｚ帯）を用いることで、広帯域の周波数帯を確保することが検討されている。【０００７】
また、将来の無線通信システムでは、既存のＬＴＥシステムにおいて用いられる低周波数帯を用いることで、広いカバレッジを確保することも想定される。このような将来の無線通信システムでは、低周波数帯から高周波数帯までの幅広い周波数帯に対応する新たな無線アクセス方式（ＲＡＴ（Radio Access Technology））（以下、５Ｇ  ＲＡＴという）を設計することが検討されている。【０００８】
低周波数帯、高周波数帯などの周波数帯毎に伝搬路環境及び／又は要求条件（サポートする端末の移動速度等）が大きく異なることから、５Ｇ  ＲＡＴでは、複数の異なるニューメロロジー（numerology）が導入されることも想定される。ニューメロロジーとは、周波数方向及び／又は時間方向における通信パラメータ（例えば、サブキャリアの間隔（サブキャリア間隔）、シンボル長、ＣＰの時間長（ＣＰ長）、ＴＴＩの時間長（ＴＴＩ長）、ＴＴＩあたりのシンボル数、無線フレーム構成などの少なくとも一つ）である。【０００９】
このように、低周波数帯から高周波数帯までの幅広い周波数帯に対応し、複数の異なるニューメロロジーが導入されることが想定される将来の無線通信システムに対して、参照信号等の配置（マッピング）を柔軟にサポートすることが望まれる。【００１０】
本発明はかかる点に鑑みてなされたものであり、将来の無線通信システムに適する参照信号等の構成を実現可能なユーザ端末及び無線通信方法を提供することを目的の一つとする。
【課題を解決するための手段】
【００１１】
本発明の一態様に係るユーザ端末は、復調用参照信号を含む下りリンク信号を受信する受信部と、前記下りリンク信号から前記復調用参照信号を分離する信号分離部と、前記復調用参照信号を用いてチャネル推定値を算出するチャネル推定部と、を具備し、前記復調用参照信号は、複数の候補パターンから選択された送信パターンに規定されたリソース要素にマッピングされ、前記受信部は、前記送信パターンを示すインデックスを受信し、前記信号分離部は、前記インデックスに基づいて特定した前記送信パターンを用いて、前記復調用参照信号を分離する。
【発明の効果】
【００１２】
本発明の一態様によれば、将来の無線通信システムに適する参照信号等の構成を実現できる。
【図面の簡単な説明】
【００１３】
【図１】５Ｇ  ＲＡＴで用いられるニューメロロジーの一例を示す図である。
【図２】本発明の一実施の形態に係る無線基地局の構成例を示すブロック図である。
【図３】本発明の一実施の形態に係るユーザ端末の構成例を示すブロック図である。
【図４】本発明の一実施の形態に係る復調用ＲＳのマッピングパターンの一例を示す図である。
【図５Ａ】本発明の一実施の形態に係る復調用ＲＳのマッピングパターンのグループ＃Ａの一例を示す図である。
【図５Ｂ】本発明の一実施の形態に係る復調用ＲＳのマッピングパターンのグループ＃Ｂの一例を示す図である。
【図６】本発明の一実施の形態に係る復調用ＲＳのマッピングパターンにおいて他の信号が重複する例を示す図である。
【図７Ａ】本発明の一実施の形態の変形例１に係る複数レイヤの復調用ＲＳのマッピングの例を示す図である。
【図７Ｂ】本発明の一実施の形態の変形例１に係る複数レイヤの復調用ＲＳのマッピングの例を示す図である。
【図７Ｃ】本発明の一実施の形態の変形例１に係る複数レイヤの復調用ＲＳのマッピングの例を示す図である。
【図７Ｄ】本発明の一実施の形態の変形例１に係る複数レイヤの復調用ＲＳのマッピングの例を示す図である。
【図８】本発明の一実施の形態の変形例２に係る復調用ＲＳのマッピングの第１の例を示す図である。
【図９】本発明の一実施の形態の変形例２に係る復調用ＲＳのマッピングの第２の例を示す図である。
【図１０Ａ】図９に示したマッピングパターンに追加されるAdditional DMRSのマッピングパターンの例を示す図である。
【図１０Ｂ】図９に示したマッピングパターンに追加されるAdditional DMRSのマッピングパターンの例を示す図である。
【図１０Ｃ】図９に示したマッピングパターンに追加されるAdditional DMRSのマッピングパターンの例を示す図である。
【図１０Ｄ】図９に示したマッピングパターンに追加されるAdditional DMRSのマッピングパターンの例を示す図である。
【図１１】本発明の一実施の形態の変形例２に係る復調用ＲＳのマッピングの第３の例を示す図である。
【図１２Ａ】図１１に示したマッピングパターンに追加されるAdditional DMRSのマッピングパターンの例を示す図である。
【図１２Ｂ】図１１に示したマッピングパターンに追加されるAdditional DMRSのマッピングパターンの例を示す図である。
【図１３Ａ】本発明の一実施の形態の変形例２に係る復調用ＲＳのマッピングの第４の例を示す図である。
【図１３Ｂ】本発明の一実施の形態の変形例２に係る復調用ＲＳのマッピングの第４の例を示す図である。
【図１４】本発明の一実施の形態の変形例２に係る復調用ＲＳのマッピングの第５の例を示す図である。
【図１５Ａ】本発明の一実施の形態の変形例２に係る復調用ＲＳのマッピングの第６の例を示す図である。
【図１５Ｂ】本発明の一実施の形態の変形例２に係る復調用ＲＳのマッピングの第６の例を示す図である。
【図１５Ｃ】本発明の一実施の形態の変形例２に係る復調用ＲＳのマッピングの第６の例を示す図である。
【図１６Ａ】本発明の一実施の形態の変形例２に係る復調用ＲＳのマッピングの第７の例を示す図である。
【図１６Ｂ】本発明の一実施の形態の変形例２に係る復調用ＲＳのマッピングの第７の例を示す図である。
【図１７】本発明の一実施の形態の変形例３に係る復調用ＲＳのマッピングの第１の例を示す図である。
【図１８】本発明の一実施の形態の変形例３に係る復調用ＲＳのマッピングの第２の例を示す図である。
【図１９】本発明の一実施の形態に係る無線基地局及びユーザ端末のハードウェア構成の一例を示す図である。
【発明を実施するための形態】
【００１４】
（本発明に至った経緯）
将来の無線通信システムの無線アクセス方式（５Ｇ  ＲＡＴ）では、幅広い周波数帯及び／又は要求条件が異なる多様なサービスに対応するため、一以上のニューメロロジーが導入されることが想定される。ここで、ニューメロロジーとは、周波数及び／又は時間方向における通信パラメータ（無線パラメータ）のセットである。当該通信パラメータのセットには、例えば、サブキャリア間隔、シンボル長、ＣＰ長、ＴＴＩ長、ＴＴＩあたりのシンボル数、無線フレーム構成の少なくとも一つが含まれる。
【００１５】
「ニューメロロジーが異なる」とは、例えば、サブキャリア間隔、シンボル長、ＣＰ長、ＴＴＩ長、ＴＴＩあたりのシンボル数、無線フレーム構成の少なくとも一つがニューメロロジー間で異なることを示すが、これに限られない。
【００１６】
図１は、５Ｇ  ＲＡＴにおいて用いられるニューメロロジーの一例を示す図である。図１に示すように、５Ｇ  ＲＡＴでは、シンボル長及びサブキャリア間隔が異なる複数のニューメロロジーが導入されてもよい。なお、図１では、ニューメロロジーの一例としてシンボル長及びサブキャリア間隔を例示するが、ニューメロロジーはこれらに限られない。
【００１７】
例えば、図１では、相対的に狭いサブキャリア間隔（例えば、１５ｋＨｚ）を有する第１のニューメロロジーと、相対的に広いサブキャリア間隔（例えば、３０〜６０ｋＨｚ）を有する第２のニューメロロジーが示される。第１のニューメロロジーのサブキャリア間隔は、既存のＬＴＥシステムのサブキャリア間隔と同一の１５ｋＨｚである。第２のニューメロロジーのサブキャリア間隔は、第１のニューメロロジーのサブキャリア間隔のＮ（Ｎ＞１）倍である。
【００１８】
また、サブキャリア間隔とシンボル長とは互いに逆数の関係にある。このため、第２のニューメロロジーのサブキャリア間隔を第１のニューメロロジーのサブキャリア間隔のＮ倍とする場合、第２のニューメロロジーのシンボル長は、第１のニューメロロジーのシンボル長の１／Ｎ倍となる。そのため、図１に示すように、第１のニューメロロジーと第２のニューメロロジーとでは、サブキャリア及びシンボルで規定されるリソース要素（ＲＥ：Resource Element）の構成も異なる。
【００１９】
既存のＬＴＥシステムにおいて用いられる低周波数帯よりも高い高周波数帯を用いた広帯域の周波数帯において、複数の異なるニューメロロジーが導入される将来の無線通信システムでは、ＤＬ参照信号等の周波数方向及び／または時間方向の配置間隔に応じて、ＤＬ参照信号を用いたチャネル推定の推定精度の劣化が発生する可能性がある。
【００２０】
例えば、高いキャリア周波数を用いる場合、相対的に低いキャリア周波数と比較してドップラー周波数が大きくなってしまうため、チャネルの時間変動への追従性が劣化してしまう可能性がある。また、広いサブキャリア間隔が適用される場合、相対的に狭いサブキャリア間隔と比較してチャネルの周波数選択性に対する耐性が劣化してしまう可能性がある。このような場合、チャネル推定の推定精度の劣化が生じてしまうことになり、通信品質の劣化が生じてしまう。
【００２１】
また、サブキャリア間隔及び／またはシンボル長によっては、ＤＬ参照信号等がチャネル推定の推定精度を確保するのに十分な間隔よりも狭い間隔にマッピングされることが原因で、ＤＬ参照信号等の数が増加してしまうため、オーバヘッドの増大が発生してしまう。
【００２２】
このように、将来の無線通信システムにおいては、ＤＬ参照信号等を適切に配置（マッピング）する必要がある。そこで、本発明者らは、将来の無線通信システムに適するＤＬ参照信号等の構成を検討し、本発明に至った。
【００２３】
以下、本発明の各実施の形態について図面を参照して詳細に説明する。
【００２４】
（一実施の形態）
本実施の形態に係る無線通信システムは、少なくとも、図２に示す無線基地局１０、及び、図３に示すユーザ端末２０を備える。ユーザ端末２０は、無線基地局１０に接続（アクセス）している。無線基地局１０は、ユーザ端末２０に対して、ＤＬデータ信号（例えば、ＰＤＳＣＨ）、ＤＬデータ信号を復調するためのＤＬ参照信号（Reference Signal、以下、復調用ＲＳ）及びＤＬ制御信号（例えば、ＰＤＣＣＨ）を含むＤＬ信号を送信する。
【００２５】
＜無線基地局＞
図２は、本実施の形態に係る無線基地局の全体構成の一例を示す図である。図２に示す無線基地局１０は、制御部１０１と、送信信号生成部１０２と、プリコーディング部１０３と、マッピング部１０４と、ＩＦＦＴ（Inverse Fast Fourier Transform）部１０５と、送信部１０６と、アンテナ１０７とを含む構成を採る。
【００２６】
制御部１０１（スケジューラ）は、ＤＬデータ信号、ＤＬ制御信号、及び、復調用ＲＳ等のスケジューリング（例えば、リソース割当）を行う。
【００２７】
スケジューリングの際、制御部１０１は、予め規定される複数のマッピングパターンの候補（候補パターン）の中から、復調用ＲＳがマッピングされるリソースを示すマッピングパターン（送信パターン）を選択する。マッピングパターンの候補には、それぞれ、インデックスが関連づけられている。そして、選択したマッピングパターンを示すインデックスがユーザ端末２０に通知され、ユーザ端末２０は、当該パターンを特定する。選択されたマッピングパターンを示すインデックスは、例えば、上位レイヤ（例えば、ＲＲＣ（Radio Resource Control）又はＭＡＣ（Medium Access Control））シグナリングを用いてユーザ端末２０へ通知されてもよく、物理レイヤ（ＰＨＹ）シグナリングを用いてユーザ端末２０へ通知されてもよい。
【００２８】
または、復調用ＲＳのマッピングパターンと、他のパラメータ（例えば、システム帯域幅、キャリア周波数、ＤＬデータ信号に関する情報（例えば、ＤＬデータ信号のマッピングパターン等）など）の少なくとも１つとが一意に対応付けられてもよい。この場合、ユーザ端末２０は、他のパラメータに基づいて、復調用ＲＳのマッピングパターンを暗黙的（implicit）に特定できる。よって、マッピングパターンを通知するためのシグナリングを削減できる。
【００２９】
なお、復調用ＲＳのマッピングパターンの候補及びマッピングパターンの選択方法の詳細については後述する。
【００３０】
また、ＤＬ信号の復調用ＲＳのマッピングパターンの選択は、無線基地局１０（制御部１０１）において実行される場合に限定されず、後述するようにユーザ端末２０において実行されても良い。ユーザ端末２０が復調用ＲＳのマッピングパターンを選択する場合、無線基地局１０は、ユーザ端末２０から選択したマッピングパターンを示すインデックスの通知を受信すれば良い（図示せず）。
【００３１】
制御部１０１は、復調用ＲＳのマッピングパターン等を含むスケジューリング情報を送信信号生成部１０２及びマッピング部１０４に出力する。
【００３２】
また、制御部１０１は、ＤＬデータ信号、ＤＬ制御信号、及び、復調用ＲＳ等に対するプリコーディングを制御する。例えば、制御部１０１は、これらの信号に対するプリコーディングの適用の有無、及び、プリコーディングを適用する際に使用するパラメータ（例えば、プリコーディングベクトル（プリコーディングウェイト又は重み係数等と呼ぶこともある）、アンテナポート（ポート番号）、送信ランク数等）を決定する。制御部１０１は、決定したパラメータを示すプリコーディング情報を、送信信号生成部１０２及びプリコーディング部１０３に出力する。
【００３３】
送信信号生成部１０２は、ＤＬ信号（ＤＬデータ信号、ＤＬ制御信号、復調用ＲＳを含む）を生成する。例えば、ＤＬ制御信号には、制御部１０１から入力されるスケジューリング情報又はプリコーディング情報を含む下り制御情報（ＤＣＩ：Downlink Control Information）が含まれる。また、送信信号生成部１０２は、ＤＬ信号に対して、符号化処理及び変調処理を行う。送信信号生成部１０２は、生成したＤＬ信号をプリコーディング部１０３に出力する。
【００３４】
プリコーディング部１０３は、制御部１０１から入力されるプリコーディング情報に基づいて、送信信号生成部１０２から入力されるＤＬ信号をプリコーディングする。なお、プリコーディング部１０３は、ＤＬ制御信号をプリコーディングしない場合には、ＤＬ制御信号をそのままマッピング部１０４に出力する。
【００３５】
マッピング部１０４は、制御部１０１から入力されるスケジューリング情報に基づいて、プリコーディング部１０３から入力されるＤＬ信号を所定の無線リソースにマッピングする。その際、マッピング部１０４は、スケジューリング情報に含まれる復調用ＲＳのマッピングパターンが示す無線リソースに復調用ＲＳをマッピングする。マッピング部１０４は、無線リソースにマッピングされたＤＬ信号をＩＦＦＴ部１０５に出力する。
【００３６】
ＩＦＦＴ部１０５は、マッピング部１０４から入力される周波数領域信号であるＤＬ信号に対してＩＦＦＴ処理を行い、時間領域信号であるＤＬ信号（つまり、ＯＦＤＭシンボルで構成される信号）を送信部１０６へ出力する。なお、図１及び図２では、ＤＬ信号の一例としてＯＦＤＭ変調に基づく信号とした。しかし、ＤＬ信号はＯＦＤＭ変調に基づく信号に限定されず、他の方式（例えば、ＳＣ−ＦＤＭＡ（Single Carrier-Frequency Division Multiple Access）又はＤＦＴ−Ｓ−ＯＦＤＭ（DFT-Spread-OFDM））に基づく信号であってもよい。
【００３７】
送信部１０６は、ＩＦＦＴ部１０５から入力されるベースバンドのＤＬ信号に対して、アップコンバート、増幅等の送信処理を行い、ＤＬ信号（無線周波数信号）をアンテナ１０７から送信する。
【００３８】
＜ユーザ端末＞
図３は、本実施の形態に係るユーザ端末２０の全体構成の一例を示す図である。図３に示すユーザ端末２０は、アンテナ２０１と、受信部２０２と、ＦＦＴ（Fast Fourier Transform）部２０３と、信号分離部２０４と、制御部２０５と、チャネル推定部２０６と、復調・復号部２０７とを含む構成を採る。
【００３９】
アンテナ２０１において受信されたＤＬ信号（無線周波数信号）は受信部２０２に入力される。ＤＬ信号には、ＤＬデータ信号、復調用ＲＳ等が含まれる。
【００４０】
受信部２０２は、アンテナ２０１において受信された無線周波数信号に対して、増幅、ダウンコンバート等の受信処理を行って、ベースバンドのＤＬ信号をＦＦＴ部２０３に出力する。
【００４１】
ＦＦＴ部２０３は、受信部２０２から入力される時間領域信号であるＤＬ信号に対してＦＦＴ処理を行い、周波数領域信号であるＤＬ信号を信号分離部２０４に出力する。
【００４２】
信号分離部２０４は、無線基地局１０から通知されるインデックスが示す復調用ＲＳのマッピングパターンに基づいて、受信部２０２から入力されるＤＬ信号から復調用ＲＳを分離（デマッピング）して、復調用ＲＳをチャネル推定部２０６へ出力する。
【００４３】
また、信号分離部２０４は、復調・復号部２０７から入力されるスケジューリング情報（例えば、割当リソース）に基づいて、ＤＬ信号からＤＬデータ信号等を分離（デマッピング）し、ＤＬデータ信号を復調・復号部２０７に出力する。
【００４４】
制御部２０５は、例えば、予め規定される複数のマッピングパターンの候補（候補パターン）の中から、ＤＬ信号の復調用ＲＳがマッピングされるリソースを示すマッピングパターン（送信パターン）を選択する。選択したマッピングパターンを示すインデックスは、信号分離部２０４に出力される。また、選択したマッピングパターンを示すインデックスが無線基地局１０に通知されることにより、無線基地局１０は、当該パターンを特定し、特定したマッピングパターンに基づいて、ＤＬ信号の復調用ＲＳをマッピングする。なお、上述したように、ＤＬ信号の復調用ＲＳのマッピングパターンの選択は、無線基地局１０（制御部１０１）によって実行されても良い。
【００４５】
チャネル推定部２０６は、信号分離部２０４から入力される復調用ＲＳを用いてチャネル推定を行い、チャネル推定値を算出する。チャネル推定部２０６は、算出したチャネル推定値を復調・復号部２０７に出力する。
【００４６】
復調・復号部２０７は、チャネル推定部２０６から入力されるチャネル推定値を用いて信号分離部２０４から入力されるＤＬデータ信号に対して復調処理及び復号処理を行う。例えば、復調・復号部２０７は、復調対象のＤＬデータ信号に対して、該復調対象のＤＬデータ信号がマッピングされたリソースのチャネル推定値を用いてチャネル補償（等化処理）を行い、チャネル補償後のＤＬデータ信号を復調する。
【００４７】
＜復調用ＲＳのマッピングパターン＞
次に、復調用ＲＳのマッピングパターンについて図４を参照して詳細に説明する。
【００４８】
図４は、本実施の形態に係る復調用ＲＳのマッピングパターンの一例を示す図である。図４には、３つの復調用ＲＳのマッピングパターン（パターン＃１〜パターン＃３）が一例として示される。各マッピングパターンは、リソース割り当て単位となるリソースユニット（ＲＵ：Resource Unit）（リソースブロック、リソースブロックペア等とも呼ばれる）における復調用ＲＳのマッピング位置を示す。ＲＵは、１６８個のリソース要素（ＲＥ：Resource Element）が周波数方向に１４個、時間方向に１２個並んだ構成を有する。１ＲＥは、１シンボルと１サブキャリアとに基づいて定義される無線リソース領域である。つまり、図４における１つのＲＵは、１４シンボルと１２サブキャリアとに基づいて定義される。
【００４９】
なお、以下の説明では、図４に示すように、ＲＵの時間方向の１４シンボルを左から順にＳＢ１〜ＳＢ１４と呼ぶ。また、ＲＵの周波数方向の１２サブキャリアを下から順にＳＣ１〜ＳＣ１２と呼ぶ。
【００５０】
パターン＃１は、ＳＢ１のＳＣ１〜ＳＣ１２に対応する１２個のＲＥに復調用ＲＳが配置されるパターンである。パターン＃２は、ＳＣ２とＳＣ５とＳＣ８とＳＣ１１それぞれのＳＢ１とＳＢ６とＳＢ１１とに対応するＲＥに復調用ＲＳが配置されるパターンである。パターン＃３は、ＳＣ４とＳＣ９それぞれのＳＢ１とＳＢ３とＳＢ５とＳＢ７とＳＢ９とＳＢ１１とに対応するＲＥに復調用ＲＳが配置されるパターンである。
【００５１】
パターン＃１は、３つのマッピングパターンの中で、周波数方向における復調用ＲＳの配置間隔が最も狭い（つまり、復調用ＲＳが周波数方向において最も密に配置される）パターンである。パターン＃３は、３つのパターンの中で、時間方向における復調用ＲＳの配置間隔が最も狭い（つまり、復調用ＲＳが時間方向において最も密に配置される）パターンである。パターン＃２は、時間方向および周波数方向における復調用ＲＳの配置間隔が、それぞれ、パターン＃１とパターン＃３の中間程度の配置間隔となるパターンである。
【００５２】
復調用ＲＳは、時間方向において密に配置される方法で、チャネルの時間変動への追従性を高めることができる。また、復調用ＲＳは、周波数方向において密に配置される方法で、チャネルの周波数選択性に対する耐性を高めることができる。
【００５３】
そのため、本実施の形態では、図４に示すように、周波数方向における復調用ＲＳの配置間隔および時間方向における復調用ＲＳの配置間隔が、それぞれ異なる複数のマッピングパターンを予めマッピングパターンの候補（候補パターン）として規定する。そして、あるキャリア周波数およびサブキャリア間隔において、チャネルの時間変動への追従性を高めた方が良いか、あるいは、チャネルの周波数選択性に対する耐性を高めた方が良いか、等を示す情報に基づいて、マッピングパターンの候補の中からより好ましいマッピングパターン（送信パターン）が選択される。
【００５４】
例えば、無線基地局１０の制御部１０１は、無線基地局１０とユーザ端末２０とを含む無線通信システムがあるキャリア周波数およびサブキャリア間隔においてサポートする最大遅延スプレッド及び最大ドップラー周波数に基づいて、図４に示す３つのマッピングパターンの候補から１つを選択する。
【００５５】
詳細には、復調用ＲＳのマッピングパターンは、あるキャリア周波数およびサブキャリア間隔において、無線通信システムがサポートする最大遅延スプレッドに基づいて定められる周波数方向における復調用ＲＳの配置間隔と、無線通信システムがサポートする最大ドップラー周波数に基づいて定められる時間方向における復調用ＲＳの配置間隔とを満たすようなパターンが好ましい。
【００５６】
ΔｆＲＳを最大遅延スプレッドに基づいて定められる周波数方向の配置間隔とし、ΔｔＲＳを最大ドップラー周波数に基づいて定められる時間方向における復調用ＲＳの配置間隔とする。この場合、ΔｆＲＳは、最大遅延スプレッドの関数であり、ΔｔＲＳは、最大ドップラー周波数の関数である。ΔｆＲＳは、例えば、コヒーレント帯域幅に相当し、ΔｔＲＳは、例えば、コヒーレント時間間隔に相当する。
【００５７】
制御部１０１は、例えば、マッピングパターンの候補それぞれの周波数方向における復調用ＲＳの配置間隔とΔｆＲＳとの差、および、マッピングパターンの候補それぞれの時間方向における復調用ＲＳの配置間隔とΔｔＲＳとの差を算出し、算出した差の合計が最も小さいマッピングパターンを選択する。
【００５８】
例えば、ΔｆＲＳが４サブキャリア間隔であり、ΔｔＲＳが２シンボル間隔である場合、制御部１０１は、パターン＃１〜パターン＃３の３つのマッピングパターンの候補の中から、パターン＃３を選択する。
【００５９】
以上、図４を参照して説明した例では、無線通信システムがサポートする最大遅延スプレッドおよび無線通信システムがサポートする最大ドップラー周波数に基づいて、３つのパターンから１つが選択されるとして説明した。マッピングパターンの候補から選択する条件は、最大遅延スプレッドおよび最大ドップラー周波数に限定されない。
【００６０】
また、図４では、３つのマッピングパターンを一例として示した。しかし、マッピングパターンの数は、これに限定されない。マッピングパターンは、２つであってもよいし、４つ以上であってもよい。マッピングパターンの数が多いほど、マッピングパターンの選択をより柔軟に行い、より好適なマッピングパターンを選択できる。
【００６１】
また、マッピングパターンの候補をグループ化し、所定の条件に基づいてグループを決定し、決定したグループの中に含まれるマッピングパターンから、好適なマッピングパターンを選択しても良い。以下、マッピングパターンをグループ化する例について図５Ａ、図５Ｂを参照して説明する。
【００６２】
図５Ａは、本実施の形態に係る復調用ＲＳのマッピングパターンのグループ＃Ａの一例を示す図である。図５Ｂは、本実施の形態に係る復調用ＲＳのマッピングパターンのグループ＃Ｂの一例を示す図である。
【００６３】
図５Ａに示すグループ＃Ａは、３つの復調用ＲＳのマッピングパターン（パターン＃１〜パターン＃３）から構成されるグループである。図５Ｂに示すグループ＃Ｂは、３つの復調用ＲＳのマッピングパターン（パターン＃４〜パターン＃６）から構成されるグループである。図５Ａ、図５Ｂにおける各マッピングパターンは、図４に示したマッピングパターンと同様、ＲＵにおける復調用ＲＳのマッピング位置を示す。なお、ＲＵ、および、ＲＥの定義は、図４と同様であるので、詳細な説明は省略する。
【００６４】
また、パターン＃１〜パターン＃３は、それぞれ、図４に示したパターン＃１〜パターン＃３と同様であるので、詳細な説明は省略する。
【００６５】
パターン＃４は、ＳＣ１とＳＣ３とＳＣ５とＳＣ７とＳＣ９とＳＣ１１それぞれのＳＢ１とＳＢ８とに対応するＲＥに復調用ＲＳが配置されるパターンである。
【００６６】
パターン＃５は、ＳＣ２とＳＣ６とＳＣ１０それぞれのＳＢ１とＳＢ５とＳＢ９とＳＢ１３とに対応するＲＥそれぞれに復調用ＲＳが配置されるパターンである。
【００６７】
パターン＃６は、ＳＣ６のＳＢ１〜ＳＢ１２に対応するＲＥそれぞれに復調用ＲＳが配置されるパターンである。
【００６８】
パターン＃４は、パターン＃１と比較して、復調用ＲＳが時間方向において密に配置されるパターンである。パターン＃５は、パターン＃２と比較して、復調用ＲＳが時間方向において密に配置されるパターンである。パターン＃６は、パターン＃３と比較して、復調用ＲＳが時間方向において密に配置されるパターンである。つまり、グループ＃Ｂは、グループ＃Ａと比較して、復調用ＲＳが時間方向において密に配置されるパターンを含むグループである。また、各パターンを同様に比較すると、グループ＃Ａは、グループ＃Ｂと比較して、復調用ＲＳが周波数方向において密に配置されるパターンを含むグループである。
【００６９】
例えば、無線基地局は、所定の条件に基づいて、グループ＃Ａまたはグループ＃Ｂを決定し、決定したグループの中に含まれるマッピングパターンの候補から、好適なマッピングパターンを選択するような構成でもよい。
【００７０】
以下、グループを選択する条件とその条件に基づく選択方法について例を挙げて説明する。
【００７１】
例えば、グループを選択する条件としては、キャリア周波数が挙げられる。キャリア周波数が高いほどドップラー周波数が大きくなるため、チャネルの時間変動への追従が困難となる。そのため、キャリア周波数が高い場合に、復調用ＲＳが時間方向において密に配置されるパターンを含むグループ＃Ｂを選択する。具体的に、キャリア周波数が６ＧＨｚの場合、グループ＃Ａを選択し、キャリア周波数が３０ＧＨｚの場合、グループ＃Ｂを選択する。そして、選択したグループの中から、１つのマッピングパターンを選択する。
【００７２】
なお、キャリア周波数に応じて、グループを選択するのでは無く、マッピングパターンを一意に選択しても良い。例えば、キャリア周波数が６ＧＨｚの場合、グループ＃Ａのパターン＃１を選択し、キャリア周波数が３０ＧＨｚの場合、グループ＃Ｂのパターン＃４を選択しても良い。キャリア周波数に対して一意にマッピングパターンを選択することにより、キャリア周波数毎に共通のマッピングパターンが選択される。
【００７３】
別の例として、グループを選択する条件としては、サブキャリア間隔であってもよい。サブキャリア間隔が広いほどチャネルの周波数選択性に対する耐性が劣化してしまう。そのため、サブキャリア間隔が広い場合、復調用ＲＳが周波数方向において密に配置されるパターンを含むグループ＃Ａを選択する。具体的に、サブキャリア間隔が６０ｋＨｚの場合、グループ＃Ａを選択し、サブキャリア間隔が１５ｋＨｚの場合、グループ＃Ｂを選択する。そして、選択したグループの中から、１つのマッピングパターンを選択する。
【００７４】
なお、サブキャリア間隔に応じてグループを選択するのでは無く、サブキャリア間隔に応じてマッピングパターンを一意に選択しても良い。例えば、サブキャリア間隔が６０ｋＨｚの場合、グループ＃Ａのパターン＃１を選択し、サブキャリア間隔が１５ｋＨｚの場合、グループ＃Ｂのパターン＃４を選択しても良い。サブキャリア間隔に対して一意にマッピングパターンを選択する方法では、サブキャリア間隔毎に共通のマッピングパターンが選択される。
【００７５】
更に別の例として、グループを選択する条件としては、ユーザ端末の移動速度であってもよい。移動速度が速いほどドップラー周波数が大きくなるため、チャネルの時間変動への追従が困難となる。そのため、高速移動のユーザ端末の場合に、復調用ＲＳが時間方向において密に配置されるパターンを含むグループ＃Ｂを選択し、低速移動のユーザ端末の場合に、グループ＃Ａを選択する。そして、選択したグループの中から、１つのマッピングパターンを選択する。
【００７６】
なお、ユーザ端末の移動速度に応じてグループを選択するのでは無く、ユーザ端末の移動速度に応じてマッピングパターンを一意に選択しても良い。例えば、低速移動のユーザ端末の場合、グループ＃Ａのパターン＃１を選択し、高速移動のユーザ端末の場合、グループ＃Ｂのパターン＃４を選択しても良い。ユーザ端末の移動速度に対して一意にマッピングパターンを選択する方法では、ユーザ端末毎に異なるマッピングパターンが選択される。
【００７７】
更に別の例として、グループを選択する条件としては、ユーザ端末に要求されるチャネル推定精度であってもよい。信頼性が高い通信を行うために、より高いチャネル推定精度が要求されるユーザ端末の場合に、復調用ＲＳが時間方向および周波数方向において密に配置されるオーバヘッドが多いパターンを含むグループを選択し、通常の通信（例えば、上述の信頼性が高い通信よりも、要求されるチャネル推定精度が低い通信）を行うユーザ端末の場合に、通常のオーバヘッド量のパターン（例えば、上述のオーバヘッド量が多いパターンよりも、オーバヘッド量が少ないパターン）を含むグループを選択する。そして、選択したグループの中から、１つのマッピングパターンを選択する。
【００７８】
なお、ユーザ端末に要求されるチャネル推定精度に応じてグループを選択するのでは無く、ユーザ端末に要求されるチャネル推定精度に応じてマッピングパターンを一意に選択しても良い。例えば、高いチャネル推定精度が要求されるユーザ端末の場合、復調用ＲＳが密に配置されたオーバヘッドが多いグループの特定のパターンを選択し、通常の通信を行うユーザ端末の場合、通常のオーバヘッド量のグループの特定のパターンを選択しても良い。ユーザ端末に要求されるチャネル推定精度に対して一意にマッピングパターンを選択する方法では、ユーザ端末毎に異なるマッピングパターンが選択される。
【００７９】
更に別の例として、グループを選択する条件としては、ユーザ端末に要求される遅延時間であってもよい。低遅延な通信が要求されるユーザ端末の場合に、復調用ＲＳがサブフレームの前方に配置されるパターンを含むグループを選択し、通常の通信（例えば、上述の低遅延な通信よりも、許容される遅延時間が大きい通信）を行うユーザ端末の場合に、遅延時間を考慮しないパターン（復調用ＲＳがサブフレームの後方にも配置されるパターン）を含むグループを選択する。そして、選択したグループの中から、１つのマッピングパターンを選択する。
【００８０】
なお、ユーザ端末に要求される遅延時間に応じてグループを選択するのでは無く、ユーザ端末に要求される遅延時間に応じてマッピングパターンを一意に選択しても良い。例えば、低遅延な通信が要求されるユーザ端末の場合、復調用ＲＳがサブフレーム前方に配置されたグループの特定のパターンを選択し、通常の通信を行うユーザ端末の場合、遅延時間を考慮しないグループの特定のパターンを選択しても良い。ユーザ端末に要求される遅延時間に対して一意にマッピングパターンを選択することにより、ユーザ端末毎に異なるマッピングパターンが選択される。
【００８１】
なお、マッピングパターンまたはマッピングパターンを含むグループは、セル内において共通であっても良い。例えば、セル内において定められたサブキャリア間隔が広い（例えば、６０ｋＨｚ）の場合、セル内において共通のグループとしてグループ＃Ａを選択する。あるいは、セルが高速移動するユーザ端末の多い領域（例えば、新幹線沿線）をカバーする場合、セル内において共通のグループとしてグループ＃Ｂを選択する。
【００８２】
無線基地局は、所定の条件に基づいて、グループ＃Ａまたはグループ＃Ｂを決定し、決定したグループの中に含まれるマッピングパターンから、好適なマッピングパターンを選択するような構成でもよい。このような構成により、グループの選択と、グループ内のマッピングパターンの選択とにおいて、それぞれの条件を定めることができるため、マッピングパターンの選択方法に対する設計自由度を高くできる。また、ユーザ端末が、選択されたグループに関する情報を無線基地局から予めシグナリング等で取得したり、あるいは、ユーザ端末が、ユーザ端末側で既知の情報（例えば、キャリア周波数、サブキャリア間隔、ユーザ端末の移動速度）に基づいて、選択されたグループを推定したりする方法を用いると、マッピングパターンに関する情報のためのシグナリングのオーバヘッドを削減できる。
【００８３】
なお、上述の例に限定されず、本発明では、キャリア周波数、サブキャリア間隔毎に共通のマッピングパターンを規定しても良いし、異なるマッピングパターンを規定しても良い。また、セル内において共通のマッピングパターンを規定しても良いし、ユーザ端末毎に異なるマッピングパターンを規定しても良い。あるいは、セル間で異なるマッピングパターンを規定しても良い。
【００８４】
また、図５Ａ、図５Ｂでは、それぞれ３つのマッピングパターンを有する２つのグループについて示した。しかし、本発明はこれに限定されない。グループの数は、３つ以上であっても良い。また、グループ内のマッピングパターンは、２つ以下、または、４つ以上であっても良い。また、マッピングパターンの数は、グループ間で異なっても良い。
【００８５】
以上説明した復調用ＲＳのマッピングパターンにおいて、復調用ＲＳがマッピングされるＲＥの位置と他の信号がマッピングされるＲＥの位置とが重複する場合がある。このような重複が発生した場合の復調用ＲＳのマッピングの変更について図６を参照して説明する。
【００８６】
図６は、本実施の形態に係る復調用ＲＳのマッピングパターンにおいて他の信号が重複する例を示す図である。図６には、マッピングの変更前として、マッピングパターンと、復調用ＲＳがマッピングされるＲＥの位置を含むＲＥにマッピングされる他の信号とが示されている。また、図６には、マッピングの変更後のバリエーション１〜バリエーション４が示されている。
【００８７】
バリエーション１は、復調用ＲＳがマッピングされるＲＥの位置と他の信号がマッピングされるＲＥの位置とが重複するＲＥの位置（以下、重複ＲＥという）において他の信号をマッピングし、復調用ＲＳをマッピングしない例である。
【００８８】
バリエーション２は、重複ＲＥにおいて他の信号をマッピングし、当該重複ＲＥにマッピングされると定められていた復調用ＲＳを含む全ての復調用ＲＳを１シンボル分後方にシフトする例である。
【００８９】
バリエーション３は、重複ＲＥにおいて他の信号をマッピングし、当該重複ＲＥにマッピングされると定められていた復調用ＲＳと、当該復調用ＲＳよりも後方の復調用ＲＳを１シンボル分後方にシフトする例である。
【００９０】
バリエーション４は、重複ＲＥにおいて他の信号をマッピングし、当該重複ＲＥにマッピングされると定められていた復調用ＲＳを１シンボル分後方にシフトする例である。
【００９１】
復調用ＲＳがマッピングされるＲＥの位置と他の信号がマッピングされるＲＥの位置とが重複する場合に、上述のバリエーション１〜バリエーション４のいずれかの変更を行うことによって、復調用ＲＳと他の信号とのマッピングを好適に行うことができる。
【００９２】
なお、図６に示すバリエーション１〜バリエーション４では、重複ＲＥにおいて他の信号を優先してマッピングするとして説明した。しかし、本発明はこれに限定されない。重複ＲＥにおいて復調用ＲＳを優先してマッピングしても良い。この場合、重複ＲＥにマッピングされると定められていた他の信号は、マッピングされないとしても良いし、他の信号をシフトさせてもよい。
【００９３】
また、図６に示すバリエーション２〜バリエーション４では、復調用ＲＳをシフトさせる方向はマッピングパターンにより規定される位置よりも後方であるとし、復調用ＲＳをシフトさせる量は１シンボル分であるとして説明した。しかし、本発明はこれに限定されない。例えば、復調用ＲＳをシフトさせる方向は、マッピングパターンにより規定される位置よりも前方であっても良い。また、シフトさせる量は、２シンボル以上であっても良い。
【００９４】
また、重複ＲＥにマッピングされると定められていた復調用ＲＳを含む復調用ＲＳのそれぞれに対して、異なる規則を適用しても良い。例えば、重複ＲＥにマッピングされると定められていた復調用ＲＳのうち、一部の復調用ＲＳをマッピングしないと決定し、他の一部の復調用ＲＳをシフトさせると決定しても良い。また、シフトさせる方向、シフトさせる量が、復調用ＲＳそれぞれに対して異なっていても良い。
【００９５】
また、図６では、他の信号が特定の１シンボルにおいて周波数方向に一様にマッピングされ、他の信号との重複を避けるために時間方向において復調用ＲＳをシフトさせる例を説明した。しかし、本発明はこれに限定されない。シフトさせる方向は、周波数方向であっても良い。例えば、特定の１サブキャリアにおいて時間方向に一様に他の信号がマッピングされる場合、他の信号と復調用ＲＳとの重複を避けるために周波数方向において復調用ＲＳをシフトさせても良い。更には、単一の方向に限定されず、時間方向、周波数方向の両方向にシフトさせてもよい。
【００９６】
＜本実施の形態の効果＞
本実施の形態では、復調用ＲＳが、予め規定された複数のマッピングパターンの候補から選択された１つのマッピングパターンに基づいてマッピングされる。その際、マッピングパターンは、キャリア周波数、サブキャリア間隔、端末の要求条件、チャネル状況等の種々の条件を考慮して選択される。これにより、低周波数帯から高周波数帯までの幅広い周波数帯に対応し、複数の異なるニューメロロジーが導入されることが想定される将来の無線通信システムに適するＤＬ参照信号（例えば、復調用ＲＳ）等の構成（例えば、マッピング）を実現できる。
【００９７】
［一実施の形態の変形例１］
上述の実施の形態では、復調用ＲＳのレイヤ（Layer）の数については特に限定しない例を説明した。以下に説明する本実施の形態の変形例１では、復調用ＲＳを複数レイヤにマッピングする場合のマッピングパターンについて図７Ａ〜図７Ｄを参照して説明する。
【００９８】
図７Ａ〜図７Ｄは、本実施の形態の変形例１に係る複数レイヤの復調用ＲＳのマッピングの例を示す図である。なお、図７Ａ〜図７Ｄに示す例は、復調用ＲＳのレイヤ数を最大８とする例である。
【００９９】
図７Ａ〜図７Ｄのパターン＃１およびパターン＃１９は、各レイヤの復調用ＲＳを符号分割多重（ＣＤＭ：Code Division Multiplexing）を適用して多重するパターンである。パターン＃２〜パターン＃１８、および、パターン＃２０は、各レイヤの復調用ＲＳを符号分割多重（ＣＤＭ）と時分割多重（ＴＤＭ：Time Division Multiplexing）および／または周波数分割多重（ＦＤＭ：Frequency Division Multiplexing）とを組み合わせて多重するパターンである。パターン＃１〜パターン＃２０に示すマッピングパターンは、レイヤの多重方法が互いに異なっている。
【０１００】
パターン＃１〜パターン＃２０において、ＣＤＭを適用した多重数が少ないほど、ＣＤＭの符号長を短くできるため、チャネル変動が大きい場合にも適用できる。また、周波数方向における復調用ＲＳの配置間隔が狭いほど、チャネルの周波数選択性への耐性が高くなる。また、時間方向における復調用ＲＳの配置間隔が狭いほど、チャネルの時間変動に対する追従性を向上できる。また、同一シンボルの周波数方向における復調用ＲＳの配置数が多いほど、電力ブーストが可能となる。さらに、パターン＃１、パターン＃１９のように、ＣＤＭを適用して各レイヤの復調用ＲＳを多重するパターンの場合、他のパターンと比較して、復調用ＲＳがマッピングされるＲＥが少ないため、オーバヘッドを減らすことができる。
【０１０１】
なお、パターン＃１〜パターン＃２０では、各レイヤの復調用ＲＳが同じ数である例を示したが、本発明はこれに限定されない。各レイヤの復調用ＲＳは、それぞれ異なる数であっても良い。
【０１０２】
なお、パターン＃１〜パターン＃２０では、ＣＤＭを適用する例を示したが、ＣＤＭの代わりに空間分割多重（ＳＤＭ：Space Division Multiplexing）を適用してもよく、ＳＤＭをＴＤＭおよび／またはＦＤＭと組み合わせて多重してもよい。
【０１０３】
［一実施の形態の変形例２］
以下の本実施の形態の変形例２では、レイヤ数の違いに対するマッピングパターンのバリエーションと、１リソースユニット（ＲＵ：Resource Unit）（リソースブロック、リソースブロックペア等とも呼ばれる）内において復調用ＲＳを配置するＲＥの数の違いに対するマッピングパターンのバリエーションの例について説明する。
【０１０４】
図８は、本実施の形態の変形例２に係る復調用ＲＳのマッピングの第１の例を示す図である。なお、図８に示す例は、１ＲＵ内において復調用ＲＳを配置するＲＥの数が２４であるマッピングの例である。また、図８に示す例では、先頭の２シンボル分のＲＥに制御信号チャネル（例えば、ＰＤＣＣＨ）が配置される。図８に示す例に対して、図６を参照して説明したような復調用ＲＳをシフトさせる方法を適用しても良い。
【０１０５】
図８には、レイヤ数が１（1 layer）のマッピングパターンと、レイヤ数が２（2 layer）のマッピングパターンと、レイヤ数が４（4 layer）のマッピングパターンと、レイヤ数が８（8 layer）のマッピングパターンとが示される。レイヤ数が２のマッピングパターンにて、復調用ＲＳは、ＦＤＭを適用して多重される。レイヤ数が４のマッピングパターンとレイヤ数が８のマッピングパターンにて、復調用ＲＳは、ＦＤＭとＣＤＭとを適用して多重される。
【０１０６】
図８に示す各マッピングパターンでは、複数の復調用ＲＳが周波数方向と時間方向とのそれぞれにおいて間隔を離して配置される。そのため、図８に示す各マッピングパターンは、チャネルの時間変動およびチャネルの周波数選択性に対してバランスよく対応できるパターンである。また、データチャネルと比較して同一ＲＥにおける多重レイヤ数が減少するため、電力ブーストが可能となる。
【０１０７】
図９は、本実施の形態の変形例２に係る復調用ＲＳのマッピングの第２の例を示す図である。なお、図９に示す例は、図８と同様、１ＲＵ内において復調用ＲＳを配置するＲＥの数が２４であるマッピングの例である。また、図９に示す例では、先頭の２シンボル分のＲＥに制御信号チャネル（例えば、ＰＤＣＣＨ）が配置される。図８に示す例に対して、図６を参照して説明したような復調用ＲＳをシフトさせる方法を適用しても良い。
【０１０８】
図９には、レイヤ数が１（1 layer）のマッピングパターンと、レイヤ数が２（2 layer）のマッピングパターンと、レイヤ数が４（4 layer）のマッピングパターンと、レイヤ数が８（8 layer）のマッピングパターンとが示される。レイヤ数が２のマッピングパターンにて、復調用ＲＳは、ＦＤＭを適用して多重される。レイヤ数が４のマッピングパターンとレイヤ数が８のマッピングパターンにて、復調用ＲＳは、ＦＤＭとＣＤＭとを適用して多重される。
【０１０９】
図９に示す各マッピングパターンでは、復調用ＲＳが周波数方向に密に配置される。そのため、図９に示す各マッピングパターンは、チャネルの周波数選択性に対する耐性が強いパターンである。また、データチャネルと比較して同一ＲＥにおける多重レイヤ数が減少するため、電力ブーストが可能となる。
【０１１０】
なお、チャネルの時間変動が発生する場合、図９に示す各マッピングパターンに復調用ＲＳを追加しても良い。以下では、追加される復調用ＲＳをAdditional DMRSと呼ぶ。
【０１１１】
図１０Ａ〜図１０Ｄは、図９に示したマッピングパターンに追加されるAdditional DMRSのマッピングパターンの例を示す図である。なお、図１０Ａ〜図１０Ｄに示す例では、先頭の２シンボル分のＲＥに制御信号チャネル（例えば、ＰＤＣＣＨ）が配置される。
【０１１２】
図１０Ａ〜図１０Ｄには、図９に示したレイヤ数が１のマッピングパターンと、図９に示したレイヤ数が２のマッピングパターンと、図９に示したレイヤ数が４のマッピングパターンのそれぞれに対する、Additional DMRSのマッピングパターンが、それぞれ、レイヤ数毎に縦に並べて示される。
【０１１３】
図１０Ａ〜図１０Ｄに示す同一レイヤ数の各マッピングパターンは、Additional DMRSの数、配置されるサブキャリアおよび配置されるシンボルのうち、少なくとも１つが、他のマッピングパターンと異なる。
【０１１４】
例えば、図１０Ａ、図１０Ｂに示すマッピングパターンでは、Additional DMRSが１シンボル分のＲＥに配置される。図１０Ｃ、図１０Ｄに示すマッピングパターンでは、Additional DMRSが時間方向で３シンボル分の間隔を離して配置される。
【０１１５】
なお、レイヤ数が４のマッピングパターンでは、ＣＤＭを適用して復調用ＲＳを多重するため、時間方向で連続する２シンボル分のＲＥにAdditional DMRSが配置される。
【０１１６】
図９に示したマッピングパターンに対して、図１０Ａ〜図１０Ｄに示すマッピングパターンのAdditional DMRSを追加することにより、チャネルの時間変動に対する追従性を向上させることができる。
【０１１７】
例えば、図９に示した復調用ＲＳのマッピングパターンを用いる無線基地局もしくはユーザ端末が、チャネルの時間変動を検出した場合、その時間変動の速さ、および／または、チャネルの時間変動が発生するサブキャリアの位置などに基づいて、図１０Ａ〜図１０Ｄに示すAdditional DMRSのマッピングパターンを選択しても良い。あるいは、図１０Ａ〜図１０Ｄに示すAdditional DMRSのマッピングパターンのうち使用されるマッピングパターンは、予め規定されていても良い。
【０１１８】
なお、図９に示した復調用ＲＳのマッピングパターンに対するAdditional DMRSのマッピングパターンは、図１０Ａ〜図１０Ｄに限られない。
【０１１９】
なお、Additional DMRSと復調用ＲＳとは、互いに同一のシンボルであっても良いし、異なるシンボルであっても良い。
【０１２０】
また、Additional DMRSは追加の復調用ＲＳ、もしくは復調用ＲＳと区別されなくても良い。
【０１２１】
また、図６を参照して説明したような復調用ＲＳをシフトさせる方法が適用されても良い。
【０１２２】
図８、図９では、１ＲＵ内において復調用ＲＳをマッピングするＲＥの数が２４であるマッピングパターンの例について説明した。次に、１ＲＵ内において復調用ＲＳをマッピングする数が１６であるマッピングパターンの例について説明する。
【０１２３】
図１１は、本実施の形態の変形例２に係る復調用ＲＳのマッピングの第３の例を示す図である。なお、図１１に示す例では、先頭の２シンボル分のＲＥに制御信号チャネル（例えば、ＰＤＣＣＨ）が配置される。
【０１２４】
図１１には、レイヤ数が１（1 layer）のマッピングパターンと、レイヤ数が２（2 layer）のマッピングパターンと、レイヤ数が４（4 layer）のマッピングパターンと、レイヤ数が８（8 layer）のマッピングパターンとが示される。レイヤ数が２のマッピングパターンにて、復調用ＲＳは、ＦＤＭを適用して多重される。レイヤ数が４のマッピングパターンとレイヤ数が８のマッピングパターンにて、復調用ＲＳは、ＦＤＭとＣＤＭとを適用して多重される。
【０１２５】
図１１に示す各マッピングパターンでは、復調用ＲＳが周波数方向に密に配置される。そのため、図１１に示す各マッピングパターンは、チャネルの周波数選択性に対する耐性が強いパターンである。また、復調用ＲＳの数が、図１０に示したマッピングパターンよりも少ないため、オーバヘッドを減らすことができる。また、データチャネルと比較して同一ＲＥにおける多重レイヤ数が減少するため、電力ブーストが可能となる。
【０１２６】
なお、チャネルの時間変動が発生する場合、図９の例と同様に、図１１に示す各マッピングパターンにAdditional DMRSを追加しても良い。
【０１２７】
図１２Ａ、図１２Ｂは、図１１に示したマッピングパターンに追加されるAdditional DMRSのマッピングパターンの例を示す図である。なお、図１２Ａ、図１２Ｂに示す例では、先頭の２シンボル分のＲＥに制御信号チャネル（例えば、ＰＤＣＣＨ）が配置される。
【０１２８】
図１２Ａ、図１２Ｂには、図１１に示したレイヤ数が１のマッピングパターンと、図１１に示したレイヤ数が２のマッピングパターンと、図１１に示したレイヤ数が４のマッピングパターンのそれぞれに対する、Additional DMRSのマッピングパターンが、それぞれ、レイヤ数毎に縦に並べて示される。
【０１２９】
図１２Ａ、図１２Ｂに示す同一レイヤ数の各マッピングパターンは、Additional DMRSの数、配置されるサブキャリアおよび配置されるシンボルのうち、少なくとも１つが、他のマッピングパターンと異なる。
【０１３０】
例えば、図１２Ａに示すマッピングパターンでは、Additional DMRSが１シンボル分のＲＥに配置される。図１２Ｂに示すマッピングパターンでは、Additional DMRSが時間方向で３シンボル分の間隔を離して配置される。
【０１３１】
なお、レイヤ数が４のマッピングパターンでは、ＣＤＭを適用して復調用ＲＳを多重するため、時間方向で連続する２シンボル分のＲＥにAdditional DMRSが配置される。
【０１３２】
図１１に示したマッピングパターンに対して、図１２Ａ、図１２Ｂに示すマッピングパターンのAdditional DMRSを追加することにより、チャネルの時間変動に対する追従性を向上させることができる。
【０１３３】
例えば、図１１に示した復調用ＲＳのマッピングパターンを用いる無線基地局および／またはユーザ端末が、チャネルの時間変動を検出した場合、その時間変動の速さ、および／または、チャネルの時間変動が発生するサブキャリアの位置などに基づいて、図１２Ａ、図１２Ｂに示すAdditional DMRSのマッピングパターンを選択しても良い。あるいは、図１２Ａ、図１２Ｂに示すAdditional DMRSのマッピングパターンのうち使用されるマッピングパターンは、予め規定されていても良い。
【０１３４】
なお、図１１に示した復調用ＲＳのマッピングパターンに対するAdditional DMRSのマッピングパターンは、図１２Ａ、図１２Ｂに限られない。
【０１３５】
なお、Additional DMRSと復調用ＲＳとは、互いに同一のシンボルであっても良いし、異なるシンボルであっても良い。
【０１３６】
また、Additional DMRSは追加の復調用ＲＳ、もしくは復調用ＲＳと区別されなくても良い。
【０１３７】
また、図６を参照して説明したような復調用ＲＳをシフトさせる方法が適用されても良い。
【０１３８】
なお、１ＲＵ内において復調用ＲＳをマッピングするＲＥの数が２４のマッピングパターンを図８、図９に示したが、本発明はこれらに限定されない。１ＲＵ内において復調用ＲＳをマッピングするＲＥの数が２４のマッピングパターンのバリエーションについて説明する。
【０１３９】
図１３Ａ、図１３Ｂは、本実施の形態の変形例２に係る復調用ＲＳのマッピングの第４の例を示す図である。なお、図１３Ａ、図１３Ｂに示す例では、先頭の２シンボル分のＲＥに制御信号チャネル（例えば、ＰＤＣＣＨ）が配置される。
【０１４０】
図１３Ａ、図１３Ｂには、レイヤ数が１（1 layer）のマッピングパターンと、レイヤ数が２（2 layer）のマッピングパターンと、レイヤ数が４（4 layer）のマッピングパターンと、レイヤ数が８（8 layer）のマッピングパターンとが、レイヤ数毎に縦に並べて示される。なお、図１３Ａ、図１３Ｂには、マッピングパターンの類似性を示すために、それぞれ、図８、図９に示したマッピングパターンと同様のマッピングパターンが含まれる。
【０１４１】
図１３Ａに示す各マッピングパターンでは、互いに同一のＲＥに復調用ＲＳが配置される。具体的には、図８と同様に、復調用ＲＳは、周波数方向と時間方向とのそれぞれにおいて、間隔を離して配置される。そして、レイヤ数が２以上のマッピングパターンでは、復調用ＲＳは、ＣＤＭおよび／またはＦＤＭを適用して多重される。
【０１４２】
図１３Ｂに示す各マッピングパターンでは、互いに同一のＲＥに復調用ＲＳが配置される。具体的には、図９と同様に、復調用ＲＳは、周波数方向に密に配置される。そして、レイヤ数が２以上のマッピングパターンでは、復調用ＲＳは、ＣＤＭおよび／またはＦＤＭを適用して多重される。
【０１４３】
なお、復調用ＲＳをマッピングするＲＥの数が１６のマッピングパターンを図１１に示したが、本発明はこれに限定されない。次に、復調用ＲＳをマッピングするＲＥの数が１６のマッピングパターンのバリエーションについて説明する。
【０１４４】
図１４は、本実施の形態の変形例２に係る復調用ＲＳのマッピングの第５の例を示す図である。なお、図１４に示す例では、先頭の２シンボル分のＲＥに制御信号チャネル（例えば、ＰＤＣＣＨ）が配置される。
【０１４５】
図１４には、レイヤ数が１（1 layer）のマッピングパターンと、レイヤ数が２（2 layer）のマッピングパターンと、レイヤ数が４（4 layer）のマッピングパターンと、レイヤ数が８（8 layer）のマッピングパターンとが、レイヤ数毎に縦に並べて示される。なお、図１４には、マッピングパターンの類似性を示すために、図１１に示したマッピングパターンと同様のマッピングパターンが含まれる。
【０１４６】
図１４に示す各マッピングパターンでは、互いに同一のＲＥに復調用ＲＳが配置される。具体的には、図１１と同様に、復調用ＲＳは、周波数方向に密に配置される。そして、レイヤ数が２以上のマッピングパターンでは、復調用ＲＳは、ＣＤＭおよび／またはＦＤＭを適用して多重される。
【０１４７】
以上の説明では、１ＲＵ内において復調用ＲＳをマッピングするＲＥの数が１６または２４のマッピングパターンについて示したが、本発明はこれに限定されない。以下では、一例として、１ＲＵ内において復調用ＲＳをマッピングするＲＥの数が１２のマッピングパターンのバリエーションについて説明する。
【０１４８】
図１５Ａ〜図１５Ｃは、本実施の形態の変形例２に係る復調用ＲＳのマッピングの第６の例を示す図である。なお、図１５Ａ〜図１５Ｃに示す例では、先頭の２シンボル分のＲＥに制御信号チャネル（例えば、ＰＤＣＣＨ）が配置される。
【０１４９】
図１５Ａ〜図１５Ｃには、レイヤ数が１（1 layer）のマッピングパターンと、レイヤ数が２（2 layer）のマッピングパターンと、レイヤ数が４（4 layer）のマッピングパターンと、レイヤ数が８（8 layer）のマッピングパターンとが、レイヤ数毎に縦に並べて示される。
【０１５０】
図１５Ａに示す各マッピングパターンは、互いに同一のＲＥに復調用ＲＳが配置される。具体的には、復調用ＲＳは、周波数方向に連続して密に配置される。そして、レイヤ数が２以上のマッピングパターンにて、復調用ＲＳは、ＣＤＭおよび／またはＦＤＭを適用して多重される。
【０１５１】
図１５Ｂに示す各マッピングパターンは、互いに同一のＲＥに復調用ＲＳが配置される。具体的には、４つの復調用ＲＳが、周波数方向に２サブキャリア、時間方向に２シンボル連続して配置される。そして、４つの復調用ＲＳが、周波数方向に２サブキャリア分の間隔を離して配置される。そして、レイヤ数が２以上のマッピングパターンでは、復調用ＲＳは、ＣＤＭおよび／またはＦＤＭを適用して多重される。
【０１５２】
図１５Ｃに示す各マッピングパターンは、互いに同一のＲＥに復調用ＲＳが配置される。具体的には、２つの復調用ＲＳが、時間方向に２シンボル連続して配置される。そして、２つの復調用ＲＳが、周波数方向に１サブキャリア分の間隔を離して配置される。そして、レイヤ数が２以上のマッピングパターンでは、復調用ＲＳは、ＣＤＭおよび／またはＦＤＭを適用して多重される。
【０１５３】
なお、図８では、複数の復調用ＲＳが周波数方向と時間方向とのそれぞれにおいて間隔を離して配置されるマッピングパターンについて説明した。以下では、複数の復調用ＲＳの周波数方向と時間方向の間隔、および／または、復調用ＲＳの数に応じたバリエーションの一例を説明する。
【０１５４】
図１６Ａ、図１６Ｂは、本実施の形態の変形例２に係る復調用ＲＳのマッピングの第７の例を示す図である。なお、図１６Ａ、図１６Ｂに示す例では、先頭の２シンボル分のＲＥに制御信号チャネル（例えば、ＰＤＣＣＨ）が配置される。
【０１５５】
図１６Ａ、図１６Ｂには、それぞれ、レイヤ数が１（1 layer）のマッピングパターンと、レイヤ数が２（2 layer）のマッピングパターンと、レイヤ数が４（4 layer）のマッピングパターンと、レイヤ数が８（8 layer）のマッピングパターンとが示される。レイヤ数が２のマッピングパターンにて、復調用ＲＳは、ＦＤＭを適用して多重される。レイヤ数が４のマッピングパターンとレイヤ数が８のマッピングパターンにて、復調用ＲＳは、ＦＤＭとＣＤＭとを適用して多重される。
【０１５６】
図１６Ａに示す各マッピングパターンでは、復調用ＲＳが、図８に示した各マッピングパターンよりも、時間方向に多く配置される。つまり、復調用ＲＳの配置が、時間方向において、より密な配置となる。そのため、図１６Ａに示す各マッピングパターンは、図８に示した各マッピングパターンよりもチャネルの時間変動に対して強いマッピングパターンである。また、データチャネルと比較して同一ＲＥにおける多重レイヤ数が減少するため、電力ブーストが可能となる。
【０１５７】
図１６Ｂに示す各マッピングパターンでは、復調用ＲＳが、図８に示した各マッピングパターンよりも、時間方向に少なく配置される。つまり、復調用ＲＳの配置が、時間方向において、より疎な配置となる。そのため、図１６Ｂに示す各マッピングパターンは、図８に示した各マッピングパターンよりもチャネルの時間変動に対して弱いが、オーバヘッドが削減されるマッピングパターンである。例えば、図１６Ｂに示す各マッピングパターンは、低レイヤ送信を行う高周波数帯において用いられる。また、データチャネルと比較して同一ＲＥにおける多重レイヤ数が減少するため、電力ブーストが可能となる。
【０１５８】
以上、本実施の形態の変形例２では、レイヤ数の違いに対するマッピングパターンのバリエーションと、１ＲＵ内において復調用ＲＳを配置するＲＥの数の違いに対するマッピングパターンのバリエーションの例について説明した。マッピングパターンの設定は、レイヤ構成（例えば、レイヤ数）毎に、異なるマッピングパターンが設定されても良い。
【０１５９】
例えば、レイヤ数が１の場合のマッピングパターンは、１ＲＵ内において復調用ＲＳを配置するＲＥの数が１２のマッピングパターン（例えば、図１５Ａ〜図１５Ｃに示した例）の中から設定され、レイヤ数が２の場合のマッピングパターンは、１ＲＵ内において復調用ＲＳを配置するＲＥの数が２４のマッピングパターン（例えば、図１３Ａ、図１３Ｃに示した例）の中から設定されても良い。
【０１６０】
なお、上述の本実施の形態の変形例２では、先頭の２シンボル分のＲＥに制御信号チャネル（例えば、ＰＤＣＣＨ）が配置される例について説明したが、制御信号チャネルの配置されるＲＥの数はこれに限定されない。さらに制御チャネル以外のチャネルが配置されていても良い。さらに、制御信号チャネルは、当該シンボルに配置されなくても良い。例えば、図８に示したマッピングパターンにおいて制御信号チャネルが配置されない場合、図６に示したように、復調用ＲＳを２シンボル分前方にシフトしても良い。その際、３シンボル目もしくは４シンボル目に配置される復調用ＲＳのみを前方にシフトしても良いし、復調用ＲＳ全体を前方にシフトしても良い。
【０１６１】
［一実施の形態の変形例３］
本実施の形態の変形例３では、無線基地局が、複数のユーザ端末に対して同一のアンテナポートを適用する場合と、複数のユーザ端末に対して異なるアンテナポートを適用する場合とを切替える例について説明する。
【０１６２】
ＭＵ−ＭＩＭＯ方式を用いて複数のユーザ端末と通信を行う無線基地局は、各ユーザ端末に対してアンテナポート（ポート番号）を設定する。無線基地局は、各ユーザ端末に対して設定したアンテナポートを用いて、当該ユーザ端末宛のＤＬ信号（ＤＬデータ信号、ＤＬ制御信号、復調用ＲＳ等）を送信する。そして、ユーザ端末は、無線基地局によって適用されたアンテナポートに対応するＤＬ信号の受信処理を行う。
【０１６３】
２つのユーザ端末に対して、ポート番号７とポート番号８とを適用するケースを例にとって、複数のユーザ端末に対して同一のアンテナポートを適用する場合と、複数のユーザ端末に対して異なるアンテナポートを適用する場合とについて説明する。
【０１６４】
複数のユーザ端末に同一のアンテナポートを適用する場合とは、２つのユーザ端末それぞれにポート番号７とポート番号８との両方を適用する場合である。複数のユーザ端末に異なるアンテナポートを適用する場合とは、２つのユーザ端末のうち、第１のユーザ端末にポート番号７を適用し、第２のユーザ端末にポート番号８を適用する場合である。
【０１６５】
図２、図３を参照して、本実施の形態の変形例３における、無線基地局１０とユーザ端末２０の処理について説明する。
【０１６６】
無線基地局１０は、複数のユーザ端末２０に対して同一のアンテナポートを適用するか、または、複数のユーザ端末２０に対して異なるアンテナポートを適用するかを判定する。この判定は、例えば、制御部１０１が、アンテナポートの数および／またはユーザ端末の数および／またはユーザ端末に設定されたプリコーディングインデックスおよび／またはそれに関連する情報および／またはユーザ端末間の伝搬チャネルの相関(直交性)に関する情報に基づいて実行する。そして、無線基地局１０は、複数のユーザ端末２０に対して同一のアンテナポートを適用するか、または、複数のユーザ端末２０に対して異なるアンテナポートを適用するかに応じて、複数のユーザ端末宛のＤＬ信号（ＤＬデータ信号、ＤＬ制御信号、復調用ＲＳ等）の送信方法（多重方法）を切替える処理を行う。この処理は、例えば、制御部１０１が、送信信号生成部１０２及びマッピング部１０４に出力するスケジューリング情報、および、送信信号生成部１０２及びプリコーディング部１０３に出力するプリコーディング情報を切替えることにより実行される。
【０１６７】
具体的には、複数のユーザ端末２０に対して同一のアンテナポートを適用する場合、無線基地局１０は、ユーザ端末２０内の異なるポートは、ポート多重に適用されているＣＤＭおよび／またはＦＤＭを適用し、複数のユーザ端末２０間はプリコーディングを適用したＳＤＭを用いて複数のユーザ端末宛のＤＬ信号を多重する。プリコーディングは、例えば、プリコーディング部１０３によって実行される。
【０１６８】
複数のユーザ端末２０に異なるアンテナポートを適用する場合、無線基地局１０は、ポート多重に適用されているＣＤＭおよび／またはＦＤＭを適用して複数のユーザ端末宛のＤＬ信号を多重する。
【０１６９】
無線基地局１０は、各ユーザ端末に対して設定したアンテナポートと各ユーザ端末宛のＤＬ信号の多重方法とを各ユーザ端末２０へ通知する。ユーザ端末２０への通知は、例えば、上位レイヤ（例えば、ＲＲＣ又はＭＡＣ）シグナリングを用いてユーザ端末２０へ通知されてもよく、物理レイヤ（ＰＨＹ）シグナリングを用いてユーザ端末２０へ通知されてもよい。
【０１７０】
通知を受信したユーザ端末２０は、無線基地局１０からシグナリングによって指定されたアンテナポートと、指定された多重方法に基づいて、ＤＬ信号（ＤＬデータ信号、ＤＬ制御信号、復調用ＲＳ等）の受信処理を行う。
【０１７１】
次に、ＤＬ信号に含まれる復調用ＲＳのマッピングパターンについて、ユーザ端末＃１とユーザ端末＃２の２つのユーザ端末の場合を例に挙げて説明する。
【０１７２】
図１７は、本実施の形態の変形例３に係る復調用ＲＳのマッピングの第１の例を示す図である。図１７の例は、２つのユーザ端末に対して同一のアンテナポートを適用する例である。
【０１７３】
図１７には、規定された復調用ＲＳのマッピングパターンと、ユーザ端末＃１の復調用ＲＳのマッピングパターンと、ユーザ端末＃２の復調用ＲＳのマッピングパターンとが示される。なお、図１７に示す各マッピングパターンでは、先頭の２シンボル分のＲＥに制御信号チャネル（例えば、ＰＤＣＣＨ）が配置される。
【０１７４】
規定された復調用ＲＳのマッピングパターンは、ＳＵ―ＭＩＭＯ（Single-User Multiple-Input Multiple-Output）のレイヤ数が４のマッピングパターンである。規定されたマッピングパターンでは、復調用ＲＳは、ＦＤＭとＣＤＭとを適用して多重される。ＣＤＭに用いられる系列は、系列長が２のＯＣＣ（Orthogonal Cover Code）系列（Length-2 OCC）である。
【０１７５】
ユーザ端末＃１とユーザ端末＃２とは、同一のアンテナポートが適用される。そのため、ユーザ端末＃１の復調用ＲＳと、ユーザ端末＃２の復調用ＲＳとは、異なるプリコーディングを用いることによって空間多重される。
【０１７６】
図１７に示すように、複数のユーザ端末の復調用ＲＳは、空間多重され、同一のアンテナポートから送信される。これにより、アンテナポートの数を削減できるため、オーバヘッドを削減できる。
【０１７７】
図１８は、本実施の形態の変形例３に係る復調用ＲＳのマッピングの第２の例を示す図である。図１８の例は、２つのユーザ端末に対して異なるアンテナポートを適用する例である。
【０１７８】
図１８には、規定された復調用ＲＳのマッピングパターンと、ユーザ端末＃１の復調用ＲＳのマッピングパターンと、ユーザ端末＃２の復調用ＲＳのマッピングパターンとが示される。なお、図１８に示す各マッピングパターンでは、先頭の２シンボル分のＲＥに制御信号チャネル（例えば、ＰＤＣＣＨ）が配置される。
【０１７９】
規定された復調用ＲＳのマッピングパターンは、ＳＵ―ＭＩＭＯのレイヤ数が４のマッピングパターンである。規定されたマッピングパターンでは、復調用ＲＳは、ＦＤＭとＣＤＭとを用いて多重される。ＣＤＭに用いられる系列は、系列長が２のＯＣＣ系列（Length-2 OCC）である。
【０１８０】
ユーザ端末＃１とユーザ端末＃２とは、異なるアンテナポートが適用される。つまり、図１８に示すユーザ端末＃１の復調用ＲＳのマッピングパターンと、ユーザ端末＃２の復調用ＲＳのマッピングパターンとは、異なるアンテナポートが適用される復調用ＲＳのマッピングパターンである。
【０１８１】
そして、ユーザ端末＃１の復調用ＲＳのマッピングパターンおよびユーザ端末＃２の復調用ＲＳのマッピングパターンにおいて用いられるＣＤＭでは、系列長が４のＯＣＣ系列（Length-4 OCC）が用いられる。
【０１８２】
図１８に示すように、複数のユーザ端末に対して異なるアンテナポートを適用する場合、ＣＤＭに用いられる系列の長さを規定よりも長くする。この構成により、オーバヘッドを増大させることなく、ＭＵ−ＭＩＭＯ多重を実現できる。
【０１８３】
なお、上述の本実施の形態の変形例３では、無線基地局１０が、複数のユーザ端末２０に対して適用したアンテナポートと複数のユーザ端末宛のＤＬ信号の多重方法とを、シグナリングにより各ユーザ端末２０へ通知する例について説明したが、本発明はこれに限定されない。例えば、適用されるアンテナポートと多重方法とが、予め定められている場合、シグナリングを用いた通知は不要である。
【０１８４】
また、上述の本実施の形態の変形例３において示した、規定されたマッピングパターンは、あくまで一例であり、本発明はこれに限定されない。本実施の形態の変形例３における、規定されたマッピングパターンは、他の実施の形態、および、その変形例において例示したマッピングパターンであっても良い。
【０１８５】
また、上述の本実施の形態の変形例３では、ユーザ端末が２である場合について説明したが、本発明はこれに限定されない。ユーザ端末が３以上であっても良い。この場合、ユーザ端末間で同一のアンテナポートを適用する場合と異なるアンテナポートを適用する場合が混在しても良いし、いずれかの方法に限定されても良い。混在する場合とは、例えば、ユーザ端末＃１〜ユーザ端末＃３の３つのユーザ端末のうち、ユーザ端末＃１とユーザ端末＃２に対して同一のアンテナポートを適用し、ユーザ端末＃３に対してユーザ端末＃１とユーザ端末＃２に適用したアンテナポートと異なるアンテナポートを適用する場合である。
【０１８６】
なお、上述の実施の形態において説明したマッピングパターンの数、グループの数、レイヤの数は、あくまで一例であり、本発明はこれに限定されない。
【０１８７】
上述の実施の形態では、それぞれのマッピングパターンに同じ数の復調用ＲＳがマッピングされる例を示したが、本発明はこれに限定されない。マッピングされる復調用ＲＳの数が、マッピングパターン毎に異なっていても良い。つまり、マッピングパターンは、多重するレイヤ数に応じてオーバヘッドサイズが互いに異なっていても良い。
【０１８８】
また、上述の実施の形態では、各マッピングパターンにおいて、周波数方向における復調用ＲＳの配置間隔が等間隔である例を示したが、本発明はこれに限定されない。周波数方向における復調用ＲＳの配置間隔は、等間隔でなくても良い。また、各マッピングパターンにおいて、時間方向における復調用ＲＳの配置間隔が等間隔である例を示したが、本発明はこれに限定されない。時間方向における復調用ＲＳの配置間隔は等間隔でなくても良い。
【０１８９】
また、上述の実施の形態では、各マッピングパターンは、周波数方向における復調用ＲＳの配置間隔と周波数方向における復調用ＲＳの配置間隔との両方が互いに異なるが、本発明はこれに限定されない。マッピングパターンには、周波数方向における復調用ＲＳの配置間隔と周波数方向における復調用ＲＳの配置間隔のいずれか一方が互いに同一であり、他方が互いに異なるようなマッピングパターンが含まれていても良い。
【０１９０】
また、マッピングパターンに基づいてマッピングされる参照信号は、全て同一の参照信号でなくても良い。例えば、復調用ＲＳ以外の参照信号が、マッピングパターンに基づいてマッピングされていても良い。
【０１９１】
なお、マッピングパターンは、データチャネルに応じて設定されても良い。例えば、特定のデータチャネルを含むサブフレームの復調用ＲＳは、予め決められた基本マッピングパターンに基づいてマッピングされても良い。特定のデータチャネルとは、例えば、System Informationを含むデータチャネル、ＳＲＢ（Signaling Radio Bearer）を含むデータチャネル、Hand over commandを含むデータチャネル、Common search spaceで送信されたＤＣＩ（Downlink Control Information）でスケジューリングされたデータチャネル、および、Activation commandを含むデータチャネル等である。
【０１９２】
基本マッピングパターンとは、十分なチャネル推定精度を確保するために、周波数方向および／または時間方向に密に復調用ＲＳをマッピングするパターンである。特定のデータチャネルについては、基本マッピングパターンを用いることによって、データの復調品質を確保できる。
【０１９３】
また、マッピングパターンを変更する方法については、種々の方法が適用できる。例えば、ユーザ端末が、システムの帯域幅、キャリア周波数、サブキャリア間隔、遅延時間や高信頼通信等の端末の要求条件、送信されるデータ、および、マッピングパターン等のいずれか少なくとも１つに基づいて、暗黙的（implicit）に判断して変更しても良い。あるいは、ユーザ端末が、上位レイヤ（ＲＲＣ，ＭＡＣ等）シグナリング又は物理レイヤシグナリングを用いた通知を受けて変更しても良い。この場合、通知は、周期的に行われても良いし、動的に行われても良い。
【０１９４】
また、本実施の形態では、復調用ＲＳの系列生成手順に関しても特に制限は無い。例えば、ＰＣＩＤ（Physical Cell Identities）、ＶＣＩＤ（Virtual Cell Identities）、ＵＥ−ＩＤ（User Equipment Identities）のいずか又はそれら内の複数の組み合わせを系列シードとするＰＮ（Pseudo Noise）系列を生成し、当該ＰＮ系列を用いて復調用ＲＳを生成しても良い。あるいは、ＰＮ系列の代わりに、Zadoff-Chu系列等の他の系列を用いて復調用ＲＳを生成しても良い。
【０１９５】
なお、制御チャネル（例えば、ＰＤＣＣＨ）とデータチャネル（例えば、ＰＤＳＣＨ）の復調用ＲＳのマッピングパターンは、それぞれ独立に設定されても良いし、まとめて設定されても良い。制御チャネルとデータチャネルの復調用ＲＳのマッピングパターンがまとめて設定される場合、それぞれに与えられたマッピングパターンのインデックス（index）を複数通知しても良いし、複数のマッピングパターンをまとめて１つのインデックスを設定し、１つのインデックスを通知しても良い。
【０１９６】
なお、上述した復調用ＲＳは、ＤＭＲＳと呼ばれても良い。また、復調用ＲＳは、参照信号、ＲＳ等と呼ばれても良い。
【０１９７】
また、上記の説明では、無線基地局１０からユーザ端末２０への下りリンクの通信について説明したが、上記実施の形態は、ユーザ端末２０から無線基地局１０への上りリンクの通信に対しても適用できる。この場合、図２に示す無線基地局１０の構成（ＤＬ信号の復調用ＲＳの送信側の構成）を上りリンクにおけるユーザ端末の構成に置き換え、図３に示すユーザ端末２０の構成（ＤＬ信号の復調用ＲＳの受信側の構成）を上りリンクにおける無線基地局の構成に置き換えてもよい。
【０１９８】
上りリンクの場合、具体的には、無線基地局は、予め規定される複数のマッピングパターンの候補（候補パターン）の中から、ＵＬ信号の復調用ＲＳがマッピングされるリソースを示すマッピングパターン（送信パターン）を選択する。選択したマッピングパターンを示すインデックスは、ユーザ端末に通知される。そして、ユーザ端末は、無線基地局から通知されるインデックスが示すマッピングパターンに基づいて、無線リソースにＵＬ信号の復調用ＲＳをマッピングし、無線基地局へ送信する。無線基地局は、選択したマッピングパターン（送信パターン）に基づいて、ＵＬ信号から復調用ＲＳを分離（デマッピング）し、分離した復調用ＲＳを用いてチャネル推定を行う。
【０１９９】
上りリンクの通信に対しても適用した場合、下りリンクの場合と同様、上りリンクにおいても、低周波数帯から高周波数帯までの幅広い周波数帯に対応し、複数の異なるニューメロロジーが導入されることが想定される将来の無線通信システムに適するＵＬ参照信号（例えば、復調用ＲＳ）等の構成（例えば、マッピング）を実現できる。
【０２００】
なお、上記の説明では、上りリンクの場合に、無線基地局が、予め規定される複数のマッピングパターンの候補（候補パターン）の中から、ＵＬ信号の復調用ＲＳがマッピングされるリソースを示すマッピングパターン（送信パターン）を選択する例について説明したが、ユーザ端末がＵＬ信号の復調用ＲＳのマッピングパターンを選択しても良い。この場合、ユーザ端末は、選択したマッピングパターンを示すインデックスを無線基地局へ通知する。そして、ユーザ端末は、選択したマッピングパターンに基づいて、無線リソースにＵＬ信号の復調用ＲＳをマッピングし、無線基地局へ送信する。無線基地局は、端末から通知されるインデックスが示すＵＬ信号の復調用ＲＳのマッピングパターンに基づいて、ＵＬ信号から復調用ＲＳを分離（デマッピング）し、分離した復調用ＲＳを用いてチャネル推定を行う。
【０２０１】
以上、本発明の各実施の形態について説明した。
【０２０２】
（ハードウェア構成）
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【０２０３】
例えば、本発明の一実施の形態における無線基地局、ユーザ端末などは、本発明の無線通信方法の処理を行うコンピュータとして機能してもよい。図１９は、本発明の一実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２０４】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２０５】
例えば、プロセッサ１００１は１つだけ図示されているが、複数のプロセッサがあってもよい。また、処理は、１のプロセッサで実行されてもよいし、処理が同時に、逐次に、又はその他の手法で、一以上のプロセッサで実行されてもよい。なお、プロセッサ１００１は、一以上のチップで実装されてもよい。
【０２０６】
無線基地局１０及びユーザ端末２０における各機能は、プロセッサ１００１、メモリ１００２などのハードウェア上に所定のソフトウェア（プログラム）を読み込ませることで、プロセッサ１００１が演算を行い、通信装置１００４による通信、又は、メモリ１００２及びストレージ１００３におけるデータの読み出し及び／又は書き込みを制御することで実現される。
【０２０７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central Processing Unit）で構成されてもよい。例えば、上述の制御部１０１、送信信号生成部１０２、プリコーディング部１０３、マッピング部１０４、ＩＦＦＴ部１０５、ＦＦＴ部２０３、信号分離部２０４、制御部２０５、チャネル推定部２０６、復調・復号部２０７などは、プロセッサ１００１で実現されてもよい。
【０２０８】
また、プロセッサ１００１は、プログラム（プログラムコード）、ソフトウェアモジュール又はデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、無線基地局１０の制御部１０１は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【０２０９】
メモリ１００２は、コンピュータ読み取り可能な記録媒体であり、例えば、ＲＯＭ（Read Only Memory）、ＥＰＲＯＭ（Erasable Programmable ＲＯＭ）、ＥＥＰＲＯＭ（Electrically Erasable Programmable ＲＯＭ）、ＲＡＭ（Random Access Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る無線通信方法を実施するために実行可能なプログラム（プログラムコード）、ソフトウェアモジュールなどを保存することができる。
【０２１０】
ストレージ１００３は、コンピュータ読み取り可能な記録媒体であり、例えば、ＣＤ−ＲＯＭ（Compact Disc ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【０２１１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の送信部１０６、アンテナ１０７、アンテナ２０１、受信部２０２などは、通信装置１００４で実現されてもよい。
【０２１２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【０２１３】
また、プロセッサ１００１及びメモリ１００２などの各装置は、情報を通信するためのバス１００７で接続される。バス１００７は、単一のバスで構成されてもよいし、装置間で異なるバスで構成されてもよい。
【０２１４】
また、無線基地局１０及びユーザ端末２０は、マイクロプロセッサ、デジタル信号プロセッサ（ＤＳＰ：Digital Signal Processor）、ＡＳＩＣ（Application Specific Integrated Circuit）、ＰＬＤ（Programmable Logic Device）、ＦＰＧＡ（Field Programmable Gate Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【０２１５】
（情報の通知、シグナリング）
また、情報の通知は、本明細書で説明した態様／実施形態に限られず、他の方法で行われてもよい。例えば、情報の通知は、物理レイヤシグナリング（例えば、ＤＣＩ（Downlink Control Information）、ＵＣＩ（Uplink Control Information））、上位レイヤシグナリング（例えば、ＲＲＣ（Radio Resource Control）シグナリング、ＭＡＣ（Medium Access Control）シグナリング、報知情報（ＭＩＢ（Master Information Block）、ＳＩＢ（System Information Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC Connection Setup）メッセージ、ＲＲＣ接続再構成（RRC Connection Reconfiguration）メッセージなどであってもよい。
【０２１６】
（適応システム）
本明細書で説明した各態様／実施形態は、ＬＴＥ（Long Term Evolution）、ＬＴＥ−Ａ（LTE-Advanced）、ＳＵＰＥＲ ３Ｇ、ＩＭＴ−Ａｄｖａｎｃｅｄ、４Ｇ、５Ｇ、ＦＲＡ（Future Radio Access）、Ｗ−ＣＤＭＡ（登録商標）、ＧＳＭ（登録商標）、ＣＤＭＡ２０００、ＵＭＢ（Ultra Mobile Broadband）、ＩＥＥＥ ８０２．１１（Ｗｉ−Ｆｉ）、ＩＥＥＥ ８０２．１６（ＷｉＭＡＸ）、ＩＥＥＥ ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０２１７】
（処理手順等）
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２１８】
（基地局の操作）
本明細書において基地局（無線基地局）によって行われるとした特定動作は、場合によってはその上位ノード（upper node）によって行われることもある。基地局を有する１つまたは複数のネットワークノード（network nodes）からなるネットワークにおいて、端末との通信のために行われる様々な動作は、基地局および／または基地局以外の他のネットワークノード(例えば、ＭＭＥ（Mobility Management Entity）またはＳ−ＧＷ（Serving Gateway）などが考えられるが、これらに限られない)によって行われ得ることは明らかである。上記において基地局以外の他のネットワークノードが１つである場合を例示したが、複数の他のネットワークノードの組み合わせ(例えば、ＭＭＥおよびＳ−ＧＷ)であってもよい。
【０２１９】
（入出力の方向）
情報及び信号等は、上位レイヤ(または下位レイヤ)から下位レイヤ(または上位レイヤ)に出力され得る。複数のネットワークノードを介して入出力されてもよい。
【０２２０】
（入出力された情報等の扱い）
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置に送信されてもよい。
【０２２１】
（判定方法）
判定は、１ビットで表される値（０か１か）によって行われてもよいし、真偽値（Boolean：trueまたはfalse）によって行われてもよいし、数値の比較（例えば、所定の値との比較）によって行われてもよい。
【０２２２】
（ソフトウェア）
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２３】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０２２４】
（情報、信号）
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２２５】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【０２２６】
（「システム」、［ネットワーク］）
本明細書で使用する「システム」および「ネットワーク」という用語は、互換的に使用される。
【０２２７】
（パラメータ、チャネルの名称）
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０２２８】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【０２２９】
（基地局）
基地局（無線基地局）は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Remote Radio Head）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」、「ｅＮＢ」、「セル」、および「セクタ」という用語は、本明細書では互換的に使用され得る。基地局は、固定局（fixed station）、ＮｏｄｅＢ、ｅＮｏｄｅＢ（ｅＮＢ）、アクセスポイント（access point）、フェムトセル、スモールセルなどの用語で呼ばれる場合もある。
【０２３０】
（端末）
ユーザ端末は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、ＵＥ（User Equipment）、またはいくつかの他の適切な用語で呼ばれる場合もある。
【０２３１】
（用語の意味、解釈）
本明細書で使用する「判断(determining)」、「決定(determining)」という用語は、多種多様な動作を包含する場合がある。「判断」、「決定」は、例えば、判定(judging)、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【０２３２】
「接続された(connected)」、「結合された(coupled)」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。本明細書で使用する場合、２つの要素は、１又はそれ以上の電線、ケーブル及び／又はプリント電気接続を使用することにより、並びにいくつかの非限定的かつ非包括的な例として、無線周波数領域、マイクロ波領域及び光（可視及び不可視の両方）領域の波長を有する電磁エネルギーなどの電磁エネルギーを使用することにより、互いに「接続」又は「結合」されると考えることができる。
【０２３３】
参照信号は、ＲＳ（Reference Signal）と略称することもでき、適用される標準によってパイロット（Pilot）と呼ばれてもよい。
【０２３４】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３５】
上記の各装置の構成における「部」を、「手段」、「回路」、「デバイス」等に置き換えてもよい。
【０２３６】
「含む(including)」、「含んでいる（comprising）」、およびそれらの変形が、本明細書あるいは請求の範囲で使用されている限り、これら用語は、用語「備える」と同様に、包括的であることが意図される。さらに、本明細書あるいは請求の範囲において使用されている用語「または（or）」は、排他的論理和ではないことが意図される。
【０２３７】
無線フレームは時間領域において１つまたは複数のフレームで構成されてもよい。時間領域において１つまたは複数の各フレームはサブフレーム、タイムユニット等と呼ばれてもよい。サブフレームは更に時間領域において１つまたは複数のスロットで構成されてもよい。スロットはさらに時間領域において１つまたは複数のシンボル（ＯＦＤＭ（Orthogonal Frequency Division Multiplexing）シンボル、ＳＣ-ＦＤＭＡ（Single Carrier-Frequency Division Multiple Access）シンボル等）で構成されてもよい。
【０２３８】
無線フレーム、サブフレーム、スロット、およびシンボルは、いずれも信号を伝送する際の時間単位を表す。無線フレーム、サブフレーム、スロット、およびシンボルは、それぞれに対応する別の呼び方であってもよい。
【０２３９】
例えば、ＬＴＥシステムでは、基地局が各移動局に無線リソース（各移動局において使用することが可能な周波数帯域幅、送信電力等）を割り当てるスケジューリングを行う。スケジューリングの最小時間単位をＴＴＩ（Transmission Time Interval）と呼んでもよい。
【０２４０】
例えば、1サブフレームをＴＴＩと呼んでもよいし、複数の連続したサブフレームをＴＴＩと呼んでもよいし、１スロットをＴＴＩと呼んでもよい。
【０２４１】
リソースユニットは、時間領域および周波数領域のリソース割当単位であり、周波数領域では１つまたは複数個の連続した副搬送波（subcarrier）を含んでもよい。また、リソースユニットの時間領域では、１つまたは複数個のシンボルを含んでもよく、１スロット、１サブフレーム、または１ＴＴＩの長さであってもよい。１ＴＴＩ、１サブフレームは、それぞれ１つまたは複数のリソースユニットで構成されてもよい。また、リソースユニットは、リソースブロック（ＲＢ：Resource Block）、物理リソースブロック（ＰＲＢ：Physical RB）、ＰＲＢペア、ＲＢペア、スケジューリングユニット、周波数ユニット、サブバンドと呼ばれてもよい。また、リソースユニットは、１つ又は複数のＲＥで構成されてもよい。例えば、１ＲＥは、リソース割当単位となるリソースユニットより小さい単位のリソース（例えば、最小のリソース単位）であればよく、ＲＥという呼称に限定されない。
【０２４２】
上述した無線フレームの構造は例示に過ぎず、無線フレームに含まれるサブフレームの数、サブフレームに含まれるスロットの数、スロットに含まれるシンボルおよびリソースブロックの数、および、リソースブロックに含まれるサブキャリアの数は様々に変更することができる。
【０２４３】
本開示の全体において、例えば、英語でのa, an, 及びtheのように、翻訳により冠詞が追加された場合、これらの冠詞は、文脈から明らかにそうではないことが示されていなければ、複数のものを含むものとする。
【０２４４】
（態様のバリエーション等）
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【０２４５】
以上、本発明について詳細に説明したが、当業者にとっては、本発明が本明細書中に説明した実施形態に限定されるものではないということは明らかである。本発明は、請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０２４６】
本特許出願は、２０１６年８月１０日に出願した日本国特許出願第２０１６−１５７９３８号、２０１６年１２月７日に出願した日本国特許出願第２０１６−２３７９７４号、および、２０１７年１月６日に出願した日本国特許出願第２０１７−００１３１２号に基づきその優先権を主張するものであり、日本国特許出願第２０１６−１５７９３８号、日本国特許出願第２０１６−２３７９７４号、および、日本国特許出願第２０１７−００１３１２号の全内容を本願に援用する。
【産業上の利用可能性】
【０２４７】
本発明の一態様は、移動通信システムに有用である。
【符号の説明】
【０２４８】
１０  無線基地局
２０  ユーザ端末
１０１、２０５  制御部
１０２  送信信号生成部
１０３  プリコーディング部
１０４  マッピング部
１０５  ＩＦＦＴ部
１０６  送信部
１０７，２０１  アンテナ
２０２  受信部
２０３  ＦＦＴ部
２０４  信号分離部
２０６  チャネル推定部
２０７  復調・復号部
【図１】
2018030359.tif 000003
【図２】
2018030359.tif 000004
【図３】
2018030359.tif 000005
【図４】
2018030359.tif 000006
【図５Ａ】
2018030359.tif 000007
【図５Ｂ】
2018030359.tif 000008
【図６】
2018030359.tif 000009
【図７Ａ】
2018030359.tif 000010
【図７Ｂ】
2018030359.tif 000011
【図７Ｃ】
2018030359.tif 000012
【図７Ｄ】
2018030359.tif 000013
【図８】
2018030359.tif 000014
【図９】
2018030359.tif 000015
【図１０Ａ】
2018030359.tif 000016
【図１０Ｂ】
2018030359.tif 000017
【図１０Ｃ】
2018030359.tif 000018
【図１０Ｄ】
2018030359.tif 000019
【図１１】
2018030359.tif 000020
【図１２Ａ】
2018030359.tif 000021
【図１２Ｂ】
2018030359.tif 000022
【図１３Ａ】
2018030359.tif 000023
【図１３Ｂ】
2018030359.tif 000024
【図１４】
2018030359.tif 000025
【図１５Ａ】
2018030359.tif 000026
【図１５Ｂ】
2018030359.tif 000027
【図１５Ｃ】
2018030359.tif 000028
【図１６Ａ】
2018030359.tif 000029
【図１６Ｂ】
2018030359.tif 000030
【図１７】
2018030359.tif 000031
【図１８】
2018030359.tif 000032
【図１９】
2018030359.tif 000033
【国際調査報告】
2018030359.tif 000034
2018030359.tif 000035
2018030359.tif 000036
2018030359.tif 000037